(57)【特許請求の範囲】
【請求項１】
輪転印刷機において第１のウェブと第２のウェブとの間にフォリオを組み合わせるための方法において、
前記輪転印刷機において、第３のウェブから第１のフォリオを裁断し、
該第１のフォリオを蓄積装置上に蓄積し、
前記第１のフォリオを、前記蓄積装置から前記第１のウェブと第２のウェブと間の位置に移送することを含み、
前記第３のウェブから第２のフォリオを裁断することを含み、前記蓄積ステップが、予備収集胴上の前記第１のフォリオに対して積重するように前記第２のフォリオを蓄積することを含み、また前記移送ステップが、前記積重された第１および第２のフォリオを前記予備収集胴から同時に移送することを含む、輪転印刷機において第１のウェブと第２のウェブとの間にフォリオを組み合わせるための方法。
【請求項２】
前記第１、第２および第３のウェブを、同速度で前記印刷機を通じて移動させることを含む、請求項１記載の方法。
【請求項３】
第４のウェブから第３のフォリオを裁断し、第４のウェブから第４のフォリオを裁断することを含み、前記蓄積ステップが、前記第３および第４のフォリオを、互いに対してかつ前記予備収集胴上の第１および第２のフォリオに対して積重するように蓄積することを含み、また前記移送ステップが、前記積重された第１、第２、第３および第４のフォリオを前記予備収集胴から同時に移送することを含む、請求項１記載の方法。
【請求項４】
前記予備収集胴の周囲長が、前記第１のフォリオの長さの３倍である、請求項１記載の方法。
【請求項５】
前記裁断ステップを、前記輪転印刷機の版胴の周囲長の半分の周囲長を有する裁断胴を使用して行う、請求項１記載の方法。
【請求項６】
前記第１のウェブ、第２のウェブ、第１のフォリオおよび第２のフォリオのうちの少なくとも１つに静電荷を供給し、これにより、前記第１および第２のフォリオと、前記第１および第２のウェブのうちの少なくとも一方との付着を可能にすることを含む、請求項１記載の方法。
【請求項７】
輪転印刷機において第１のウェブと第２のウェブとの間にフォリオを組み合わせるための装置において、
第３のウェブから第１のフォリオ及び第２のフォリオを裁断するために配置された裁断胴が設けられており、
該裁断胴に作用接続した蓄積装置が設けられており、該蓄積装置が、積重して蓄積された第１及び第２のフォリオを移送するように構成された予備収集胴を有しており、
前記蓄積装置に隣接した位置決め装置が設けられており、該位置決め装置が、前記蓄積された第１のフォリオ及び第２のフォリオを前記蓄積装置から前記第１のウェブと第２のウェブとの間の位置に移送するために配置されていることを特徴とする、輪転印刷機において第１のウェブと第２のウェブとの間にフォリオを組み合わせるための装置。
【請求項８】
前記位置決め装置が、前記積重された第１および第２のフォリオを同時に移送するために配置されている、請求項７記載の装置。
【請求項９】
前記予備収集胴の周囲長が、フォリオ３つ分、フォリオ５つ分およびフォリオ７つ分の長さのうちの１つに等しい、請求項７記載の装置。
【請求項１０】
前記第１及び第２のフォリオが印刷機の刷版によって印刷される、請求項７記載の装置。
【請求項１１】
前記予備収集胴が、該予備収集胴の外周に対して前記第１および第２のフォリオを保持するためのピンを含んでいる、請求項７記載の装置。
【請求項１２】
前記予備収集胴が、該予備収集胴の外周に対して前記第１および第２のフォリオを保持するためのくわえ爪を含んでいる、請求項７記載の装置。
【請求項１３】
前記第１のウェブ、第２のウェブおよび第１のフォリオのうちの少なくとも１つに静電荷を供給するための電極が設けられており、これにより、前記第１のフォリオと、前記第１および第２のウェブのうちの少なくとも一方との付着を可能にする、請求項７記載の装置。
【請求項１４】
前記位置決め装置が、複数のベルトローラに取り付けられたベルトを含んでいる、請求項７記載の装置。
【発明の詳細な説明】
【０００１】
【発明の属する技術分野】
本発明は、概して、輪転印刷機において第１のウェブと第２のウェブとの間にフォリオを組み合わせるための方法、特に、輪転印刷機において第３のウェブを少なくとも第１のフォリオと第２のフォリオとに裁断し、これらのフォリオを蓄積して、第１のウェブと第２のウェブとの間に位置決めする方法および装置に関する。さらに本発明は、互いに対して積重されかつ２つのウェブに挟まれた第１および第２のフォリオを有するウェブ製品に関する。
【０００２】
【従来の技術】
被印刷材料の連続的なウェブを使用した輪転印刷機の技術において、印刷されたウェブがフォーマ折り機において折り畳まれ、裁断された後に、しかしながら横折りされる前に、これらのウェブを収集することはしばしば有利である。コレクトランと呼ばれるこの作業により、折畳み前にフォリオを組み合わせないストレートラン製造作業から製品を製造する場合に必要な付加的な処理ステップが省かれる。
【０００３】
版胴が一回転あたり２つの印像をウェブ上に印刷することは、輪転印刷機の使用上一般的である。ストレートラン手段を使用する場合には、次いでウェブが、各フォリオが１つの完全な印像を有するようにフォリオへと裁断される。例えば、版胴一回転あたり２つの印像が印刷されるならば、フォリオの長さは版胴の周囲長の半分である。コレクトラン手段の場合には、上述のように印刷されかつ裁断された印像が、製品に必要な通りに各印像と整合するように“収集”されてよい。次いで、この収集された製品は共に横折り機へと走行させられ、この横折り機において、個々のフォリオが同時に折り畳まれる。
【０００４】
例えば３つのウェブを使用したコレクトランの場合、版胴一回転により、印刷製品の第２のセクションに属する印像にすぐ隣接して、印刷製品（新聞等）の第１のセクションに属する印像が印刷されてよい。３つのウェブを共に裁断および収集することによって、これらのウェブは、３つのフォリオをそれぞれ有する２つのセクションを含むように同時に横折りされてよい。（両面印刷を行いかつフォリオの１つの側あたりに新聞２頁分のみを印刷した場合には、各セクションは１２頁を有している。）セクションあたりのフォリオ数を増減させるために、ウェブ数を増減させることができる。しかしながら、コレクトランは、２つの関連したセクションのフォリオ数が常に等しいという結果を招く。セクションあたりの頁数が異なるセクションを有する製品を製造するために（例えば、第２のセクションよりも前方のセクションにおいてより多数のフォリオを有する新聞）、製品を、セクション同士がより後半の処理ステップとして組み合わされるストレートランを使用して製造しなければならない。
【０００５】
【発明が解決しようとする課題】
したがって本発明の課題は、上記のような従来技術における欠点を取り除いて、セクションあたりの頁数が異なるセクションを有する製品を製造するための方法および装置を提供することである。
【０００６】
【課題を解決するための手段】
本発明は、輪転印刷機において第１のウェブと第２のウェブとの間にフォリオを組み合わせるための方法を提供する。この方法は、輪転印刷機において第３のウェブから第１のフォリオを裁断し、この第１のフォリオを蓄積装置上に蓄積し、この第１のフォリオを蓄積装置から第１のウェブと第２のウェブとの間の位置に移送することを含んでいる。
【０００７】
本方法は、第３のウェブから第２のフォリオを裁断し、この第２のフォリオを、予備収集胴上の、前記第３のウェブから裁断した第１のフォリオに対して積重して蓄積することを含んでいてもよい。移送ステップは、積重された第１および第２のフォリオを予備収集胴から同時に移送することを含んでいてよい。第１、第２および第３のウェブは、同速度で印刷機を通じて移動させられてよい。
【０００８】
本方法は、第４のウェブから第３のフォリオを並びに第４のウェブから第４のフォリオを裁断する付加的なステップを含んでいてよい。蓄積ステップは、第３および第４のフォリオを、互いに対してかつ予備収集胴上の第１および第２のフォリオに対して積重して蓄積することを含んでいてもよい。移送ステップは、積重された第１、第２、第３および第４のフォリオを予備収集胴から同時に移送することを含んでいてもよい。
【０００９】
予備収集胴の周囲長は、印刷機の版胴の周囲長の半分であってよい第１のフォリオの長さの３倍、５倍または７倍であってよい。
【００１０】
静電荷が、第１のウェブ、第２のウェブ、第１のフォリオおよび第２のフォリオのうちの１つまたは２つ以上に供給されてよく、これにより、第１および第２のフォリオと、第１および第２のウェブのうちの少なくとも一方との付着を可能にする。
【００１１】
さらに本発明は、輪転印刷機において第１のウェブと第２のウェブとの間にフォリオを組み合わせるための装置を提供する。この装置は、第３のウェブから第１のフォリオを裁断するために配置された裁断胴と、この裁断胴に作用接続しており、第１のフォリオを蓄積するために配置された蓄積装置と、この蓄積装置に隣接した位置決め装置とを有している。位置決め装置は、蓄積された第１のフォリオを、蓄積装置から第１のウェブと第２のウェブとの間の位置に移送するために配置されている。裁断胴は、第３のウェブから第２のフォリオを裁断するために配置されていてもよく、また蓄積装置は、第１および第２のフォリオを積重して蓄積するために配置された予備収集胴を有していてよい。位置決め装置は、積重された第１および第２のフォリオを同時に移送するために配置されていてよい。予備収集胴の周囲長は、輪転印刷機の版胴の周囲長の半分であってよい第１のフォリオの長さの３倍であってよい。版胴自体は、互いに隣接して配置された少なくとも２つのフォリオ印像を有する刷版を含んでいてよく、これにより、胴一回転あたり２つのフォリオを印刷する。
【００１２】
予備収集胴は、この胴の外周に対して第１および第２のフォリオを保持するためのピンまたはくわえ爪を有していてよい。
【００１３】
本発明による装置は、第１のウェブ、第２のウェブおよびフォリオのうちの１つまたは２つ以上に静電荷を供給するための電極を有していてもよく、これにより、第１および第２のフォリオと、第１および第２のウェブのうちの少なくとも一方との付着を可能にする。位置決め装置は、複数のベルトローラに取り付けられたベルトを有していてよい。
【００１４】
さらに本発明は、輪転印刷機において移動可能なウェブ製品を提供する。このウェブ製品は、第１のウェブと第２のウェブと第１のフォリオと第２のフォリオとを有している。第１および第２のフォリオは、互いに対して積重されかつ第１のウェブと第２のウェブとに挟まれている。
【００１５】
ウェブ製品は第３のフォリオと第４のフォリオとを有していてもよく、この場合に、第３および第４のフォリオは、互いに対してかつ第１および第２のフォリオに対して積重され、また第１のウェブと第２のウェブとに挟まれている。
【００１６】
【発明の実施の形態】
本発明を、添付図面を参照しながら以下に詳述する。
【００１７】
図１ａは、通常のウェブコレクトランプロセスに従って配置されている、フォーマに進入する３つのウェブの概略図を示している。ウェブ１は印像Ｂ１およびＡ１を有しており、これらの印像は、合わせて版胴１回転に等しい長さを有している。これらの印像はフォーマ通過後に裁断され、これにより、フォリオＢ１およびＡ１を形成する。フォリオＡ１は、２セクション印刷製品のセクションＡの第１のフォリオに相当する。フォリオＢ１は、２セクション印刷製品のセクションＢの第１のフォリオに相当する。同様に、ウェブ１とウェブ２との間を走行しているウェブ３は印像Ａ２およびＢ２を有しており、これらの印像は２セクション印刷製品のセクションＡの第２のフォリオおよびセクションＢの第２のフォリオにそれぞれ相当し、またウェブ２は印像Ａ３およびＢ３を有しており、これらの印像は２セクション印刷製品のセクションＡの第３のフォリオおよびセクションＢの第３のフォリオに相当する。これらのウェブは、印像Ｂ１，Ｂ２およびＢ３と同様に、印像Ａ１，Ａ２およびＡ３が互いに対して整合するように配置されている。
【００１８】
フォーマ通過後の通常のコレクトランプロセスにおいて、ウェブは、形成されるセクションＡのフォリオＡ１，Ａ２およびＡ３を、形成されるセクションＢのフォリオと共に同時処理することができるように同時に裁断され、これにより、２セクション印刷製品が完成する。例えば、各フォリオの各側が新聞２頁分を有しているとしたら、各セクションあたり１２頁を有する２セクション新聞製品が完成する。印刷製品のセクションあたりの頁数は、フォーマ進入前に組み合わされるウェブ数を変更することによってのみ変更することができる。いずれにしても、通常のコレクトランプロセスの使用は、２セクション印刷製品の２つのセクションが同じ頁数を有することしかできないという結果を招く。
【００１９】
図１ｂはフォーマに進入する２つのウェブの概略図を示しており、２つのウェブは、これらのウェブに挟まれた、第３のウェブから裁断された複数のフォリオを有している。図１ａと同様に、ウェブ１は印像Ａ１およびＢ１を有しており、これらの印像は、２セクション製品のセクションＡの第１のフォリオおよびセクションＢの第１のフォリオに相当する。ウェブ３は、図１ｂにおいては２つのフォリオに裁断されて、ウェブ１とウェブ２との間の積重位置に整合させられている。裁断される前に、ウェブ３は、合わせて版胴１回転に長さが等しい隣接した２つの印像を有していた。これらの２つの印像は、フォリオＡ２およびＡ３、すなわち、２セクション印刷製品のセクションＡの第２および第３の印像に相当する。ウェブ２は隣接した２つの印像Ａ４およびＢ２を有しており、これらの印像は、セクションＡの第４のフォリオおよびセクションＢの第２のフォリオにそれぞれ相当する。ウェブ１，２と、ウェブ３から裁断されたフォリオＡ２，Ａ３とは、印像Ｂ１およびＢ２と同様に、印像Ａ１，Ａ２，Ａ３およびＡ４が互いに整合するように互いに対して位置決めされている。
【００２０】
フォーマ通過後の横折りプロセスにおいて、ウェブ１および２は、形成されるセクションＡのフォリオＡ１，Ａ２，Ａ３およびＡ４を、形成されるセクションＢのフォリオＢ１およびＢ２と共に同時処理することができるように同時に裁断され、これにより、４つのセクションＡフォリオと２つのセクションＢフォリオとを有する２セクション印刷製品が完成する。ここで、各フォリオの各側が新聞２頁分を有しているとしたら、第１のセクションに１６頁と、８頁の差で第２のセクションに８頁とを有する２セクション新聞製品が完成する。
【００２１】
ウェブ３をより低速で走行させれば、セクションあたりのフォリオ数の差をフォリオ１つ分にまで減じることができる。隣接した印像同士は同様であってもよく（Ａ２に隣接したＡ２）、この場合に、各Ａ２フォリオは裁断され、次いで付加的なウェブ１および２の速度まで加速され、これにより、各Ａ２フォリオは、ウェブ１および２のその他のセクションＡフォリオと整合する位置に配置される。
【００２２】
当然、裁断され、予め収集されて、ウェブ１とウェブ２との間に挿入されるウェブ数を増やすことによって、フォリオ数の差を増大させることもできる。予め収集されたフォリオを挟むために収集されるウェブ数を増やすことによって、セクションあたりの総フォリオ数を増やすこともできる。
【００２３】
図２は、本発明による、２つのウェブ間にフォリオを組み合わせるための装置１０の１つの実施例の縦断面図を示している。ウェブ３は、概して左方向から右方向へと図面を横断するように、ウェブ２（フォリオ印像Ｂ２，Ａ４を有している）およびウェブ１（フォリオ印像Ｂ１，Ａ１を有している）と同速度で移動している。ウェブ３は、裁断胴１１と、予備収集胴１４を有する蓄積装置１２との間のニップに進入する。予備収集胴１４は、時計回り方向に移動しかつ裁断胴１１と接触する。裁断胴１１の周囲長は、ウェブ３上に印像を印刷した輪転印刷機の刷版の周囲長の半分である。図１ａおよび図１ｂからの実施例においては、版胴が１回転あたり２つのフォリオ印像を印刷するように構成されたので、この版胴の周囲長は、隣接した２つのフォリオ印像を合わせた長さに等しい。裁断胴は、この裁断胴の外周にウェブを裁断するための裁断ブレードを有しており、これにより、１回転あたり１つのフォリオ印像を１つのフォリオに裁断する。予備収集胴１４の周囲長は裁断胴１１の周囲長の３倍である。
【００２４】
ウェブ３は、裁断胴１１と予備収集胴１４との間のニップにおいて別個のフォリオに裁断される。図１ａからのフォリオＡ３に相当する第１のフォリオが裁断されると、この第１のフォリオは蓄積装置１２の予備収集胴１４上に蓄積される。予備収集胴１４上に設けられたピン１５は、予備収集胴１４の外周に対して第１のフォリオを保持するのを補助する。第１のフォリオＡ３は版胴の経路を辿って、箇所ｚに到達する。この箇所において、到達したフォリオが下側に位置するフォリオならば、このフォリオは再び箇所ｚに完全に到達するまで予備収集胴１４の周囲を回り続ける。フォリオが裁断胴を再び通過する時に、Ａ２に相当する第２のフォリオが裁断胴１１により裁断されかつ、ピン１５により予備収集胴１４の外周で第１のフォリオＡ３の上に積重される。
【００２５】
積重された対のフォリオが再び箇所ｚに到達すると、これらの積重された第１および第２のフォリオＡ３，Ａ２はストリッパ５（位置決め装置１３の一部）によって予備収集胴１４から逸らされる。積重された対のフォリオＡ３およびＡ２は、ローラ１８，１９および２０の周囲に取り付けられかつウェブ２と同速度で走行しているベルト１７により箇所ｙにおいてウェブ２と組み合わされる。対のフォリオＡ３およびＡ２は、ウェブ２上のフォリオ印像Ａ４に整合させられる。対のフォリオは、本実施例においては箇所ｘにフォリオを進行させるピン付き案内胴２１上で再びピン留めされてよい。箇所ｘにおいて、これらの２つのフォリオおよびウェブ２は、フォリオ印像Ａ１に整合するようにウェブ１（フォリオ印像Ａ１，Ｂ１を有している）と組み合わされる。箇所ｘを通過後、ウェブ製品２２は、ウェブ１とウェブ２とに挟まれた対のフォリオＡ３およびＡ２を有しており、この場合に、積重されたフォリオＡ３およびＡ２はウェブ１上のフォリオ印像Ａ１とウェブ２上のフォリオ印像Ａ４とに整合している。
【００２６】
図２は本発明の１つの実施例しか示していないが、本発明の範囲内で多数の変化実施例が存在する。例えば、ウェブ３の経路を介して複数のウェブが共に走行させられてよい。このようにして、積重された複数の対のフォリオは予め収集され、ウェブ２とウェブ３との間に挿入されてよい。当然、ウェブ１および２の他に付加的なウェブが共に走行させられても、ウェブ製品２２が、フォリオを挟む、ウェブ１および２よりも多数のウェブを有していてもよい。位置決め装置は、定速度で走行するベルト１７の代わりに若しくはベルト１７に加えて加速装置を有していてよい。ウェブ３はより低速、例えばウェブ１および２の速度の半分の速度で走行してよく、裁断されるフォリオは裁断後にウェブ１および２の速度に加速されてよい。このようにして、位置決め装置１３は、積重された対のフォリオとは対照的に、１つのフォリオをウェブ１とウェブ２との間に同時に位置決めする。
【００２７】
静電荷がウェブまたはフォリオのうちの１つに供給されてよく、これにより、フォリオとウェブ１および／または２との付着を可能にするかまたは向上させる。予備収集胴１４およびピン付き案内胴２１は、ピンを有していない若しくはピンも有しているくわえ胴であってよい。
【００２８】
図３は、本発明による、輪転機において第１のウェブと第２のウェブとの間にフォリオを組み合わせるための方法を示している。ステップ１０１において、輪転機において第３のウェブから第１のフォリオを裁断する。ステップ１０２において、第３のウェブから第２のフォリオを裁断する。ステップ１０３において、第１および第２のフォリオを蓄積装置上に蓄積する。ステップ１０４において、第１および第２のフォリオを、それぞれ蓄積装置から第１のウェブと第２のウェブとの間の各位置に移送する。
【００２９】
本発明を単に例示目的で上に説明したが、本発明の範囲内で詳細を修正することができることは当然理解される。
【図面の簡単な説明】
【図１ａ】３つのウェブを有する輪転機における通常のコレクトプロセスを示す概略図である。
【図１ｂ】プレコレクトを利用する本発明による、３つのウェブを有する輪転機におけるコレクトプロセスを示す概略図である。
【図２】本発明による装置を示す略側面図である。
【図３】本発明による方法を示すブロック略図である。
【符号の説明】
１，２，３  ウェブ、  ５  ストリッパ、  １０  装置、  １１  裁断胴、  １２  蓄積装置、  １３  位置決め装置、  １４  予備収集胴、  １５  ピン、１７  ベルト、  １８，１９，２０  ローラ、  ２１  ピン付き案内胴、  ２２  ウェブ製品、  １０１，１０２，１０３，１０４  ステップ
【図１ａ】
0004393058.tif 000002
【図１ｂ】
0004393058.tif 000003
【図２】
0004393058.tif 000004
【図３】
0004393058.tif 000005